(57)【特許請求の範囲】
【請求項１】
実行可能な機能に対応するオブジェクトが表示されるオブジェクト表示部を含む複数の表示部と、
前記オブジェクトに対する接触を検出する検出部と、
前記オブジェクト表示部に前記オブジェクトが表示された状態において、前記検出部によって前記オブジェクトに対する複数の接触が検出された後に、当該複数の接触の移動が検出され、当該複数の接触が異なる移動方向への移動である場合に、前記オブジェクトに対応する機能を提供する画面を前記複数の表示部にまたがって表示させる制御部と
を備えることを特徴とする電子機器。
【請求項２】
前記制御部は、前記検出部によって前記オブジェクトに対する接触が検出され、かつ、当該接触の移動方向に前記複数の表示部のうち、前記オブジェクト表示部とは異なる表示部のいずれも存在しない場合に、前記オブジェクトに対応する機能を提供する画面を前記オブジェクト表示部に表示させることを特徴とする請求項１に記載の電子機器。
【請求項３】
前記制御部は、前記オブジェクト表示部に前記オブジェクトが表示された状態において、前記検出部によって前記オブジェクトに対する接触が検出された後に、当該接触の移動が検出され、当該接触の移動方向に前記複数の表示部のうちいずれか１つが存在する場合に、前記オブジェクトに対応する機能を提供する画面を前記接触の移動方向に存在する表示部に表示させることを特徴とする請求項１または２に記載の電子機器。
【請求項４】
前記制御部は、前記接触の移動方向に存在する表示部が複数の表示領域に分割されている場合に、前記オブジェクトに対応する機能が提供する画面を、前記複数の表示領域のうち、前記接触の移動方向に存在する表示領域に表示させることを特徴とする請求項１から３のいずれか１項に記載の電子機器。
【請求項５】
実行可能な機能に対応するオブジェクトが表示されるオブジェクト表示部を含む複数の表示部と、前記オブジェクトに対する接触を検出する検出部とを備える電子機器によって実行される画面制御方法であって、
前記オブジェクト表示部に前記オブジェクトが表示された状態において、前記検出部によって前記オブジェクトに対する複数の接触と、当該複数の接触の異なる移動方向への移動とを検出するステップと、
前記複数の接触が異なる移動方向への移動である場合に、前記オブジェクトに対応する機能を提供する画面を前記複数の表示部にまたがって表示させるステップと
を含むことを特徴とする画面制御方法。
【請求項６】
実行可能な機能に対応するオブジェクトが表示されるオブジェクト表示部を含む複数の表示部と、前記オブジェクトに対する接触を検出する検出部とを備える電子機器に、
前記オブジェクト表示部に前記オブジェクトが表示された状態において、前記検出部によって前記オブジェクトに対する複数の接触と、当該複数の接触の異なる移動方向への移動とを検出するステップと、
前記複数の接触が異なる移動方向への移動である場合に、前記オブジェクトに対応する機能を提供する画面を前記複数の表示部にまたがって表示させるステップと
を実行させることを特徴とする画面制御プログラム。
【発明の詳細な説明】
【技術分野】
【０００１】
本発明は、電子機器、画面制御方法および画面制御プログラムに関する。
【背景技術】
【０００２】
近年、直感的な操作を可能にするとともに、キーボードのように物理的に大きな面積を必要とするデバイスを具備しない小型の電子機器を実現するために、タッチパネルが広く利用されるようになっている。また、特許文献１では、２つのタッチパネルを有し、２つのタッチパネルが露出する開状態と１つのタッチパネルのみが露出する閉状態のいずれかに変位する携帯電話端末が提案されている。
【先行技術文献】
【特許文献】
【０００３】
【特許文献１】特開２００９−１６４７９４号公報
【発明の概要】
【発明が解決しようとする課題】
【０００４】
複数のタッチパネルを有する従来の電子機器では、起動される画面がどのタッチパネルに表示されるかが予め決められている。例えば、第１のタッチパネルに表示されているアイコンをタップするとそのアイコンに対応する画面が第１のタッチパネルに表示され、第２のタッチパネルに表示されているアイコンをタップするとそのアイコンに対応する画面が第２のタッチパネルに表示される。
【０００５】
本発明は、上記に鑑みてなされたものであって、画面を表示させる表示部を任意に選択することができる電子機器、画面制御方法および画面制御プログラムを提供することを目的とする。
【課題を解決するための手段】
【０００６】
上述した課題を解決し、目的を達成するために、本発明は、実行可能な機能に対応するオブジェクトが表示されるオブジェクト表示部を含む複数の表示部と、前記オブジェクトに対する接触を検出する検出部と、前記オブジェクト表示部に前記オブジェクトが表示された状態において、前記検出部によって前記オブジェクトに対する接触が検出された後に、当該接触の移動が検出され、当該接触の移動方向に前記複数の表示部のうちいずれか１つが存在する場合に、前記オブジェクトに対応する機能を提供する画面を前記接触の移動方向に存在する表示部に表示させる制御部とを備えることを特徴とする。
【０００７】
ここで、前記制御部は、前記検出部によって前記オブジェクトに対する接触が検出され、かつ、当該接触の移動方向に前記複数の表示部のうち、前記オブジェクト表示部とは異なる表示部のいずれも存在しない場合に、前記オブジェクトに対応する機能を提供する画面を前記オブジェクト表示部に表示させることが好ましい。
【０００８】
また、前記制御部は、前記検出部によって前記オブジェクトに対する接触が検出され、かつ、当該接触の移動方向が複数である場合に、前記オブジェクトに対応する機能を提供する画面を前記複数の表示部にまたがって表示させることが好ましい。
【０００９】
また、前記制御部は、前記接触の移動方向に存在する表示部が複数の表示領域に分割されている場合に、前記オブジェクトに対応する機能が提供する画面を、前記複数の表示領域のうち、前記接触の移動方向に存在する表示領域に表示させることが好ましい。
【００１０】
また、上述した課題を解決し、目的を達成するために、本発明は、実行可能な機能に対応するオブジェクトが表示されるオブジェクト表示部を含む複数の表示部と、前記オブジェクトに対する接触を検出する検出部とを備える電子機器によって実行される画面制御方法であって、前記オブジェクト表示部に前記オブジェクトが表示された状態において、前記検出部によって前記オブジェクトに対する接触と、当該接触の移動とを検出するステップと、前記接触の移動方向に前記複数の表示部のうちいずれか１つが存在する場合に、前記オブジェクトに対応する機能を提供する画面を前記接触の移動方向に存在する表示部に表示させるステップとを含むことを特徴とする。
【００１１】
また、上述した課題を解決し、目的を達成するために、本発明は、画面制御プログラムであって、実行可能な機能に対応するオブジェクトが表示されるオブジェクト表示部を含む複数の表示部と、前記オブジェクトに対する接触を検出する検出部とを備える電子機器に、前記オブジェクト表示部に前記オブジェクトが表示された状態において、前記検出部によって前記オブジェクトに対する接触と、当該接触の移動とを検出するステップと、前記接触の移動方向に前記複数の表示部のうちいずれか１つが存在する場合に、前記オブジェクトに対応する機能を提供する画面を前記接触の移動方向に存在する表示部に表示させるステップとを実行させることを特徴とする。
【発明の効果】
【００１２】
本発明に係る電子機器、画面制御方法および画面制御プログラムは、画面を表示させる表示部を任意に選択することができるという効果を奏する。
【図面の簡単な説明】
【００１３】
【図１】図１は、第１の形態にある携帯電話端末の斜視図である。
【図２】図２は、第２の形態にある携帯電話端末の斜視図である。
【図３】図３は、第２の表示部に画面を表示する例を示す図である。
【図４】図４は、第１の表示部に画面を表示する例を示す図である。
【図５】図５は、第１の表示部および第２の表示部にまたがって画面を表示する例を示す図である。
【図６】図６は、分割された表示領域に画面を表示する例を示す図である。
【図７】図７は、携帯電話端末の機能的な構成を示すブロック図である。
【図８】図８は、表示部データの一例を示す図である。
【図９】図９は、表示領域データの一例を示す図である。
【図１０】図１０は、実行可能な機能に対応するアイコンに対する接触が検出された場合の主制御部の動作を示すフロー図である。
【図１１】図１１は、画面を表示させる表示部を指定する他の方式の例を示す図である。
【発明を実施するための形態】
【００１４】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、電子機器として携帯電話端末を例として説明するが、本発明の適用対象は携帯電話端末に限定されるものではなく、タッチパネルを備える各種装置、例えば、ＰＨＳ（Personal  Handyphone  System）、ＰＤＡ、ポータブルナビゲーション装置、パーソナルコンピュータ、ゲーム機等に対しても本発明は適用できる。
【００１５】
（実施形態）
まず、図１および図２を参照しながら、本発明に係る電子機器の一実施形態である携帯電話端末１の外観について説明する。図１は、第１の形態にある携帯電話端末１の斜視図であり、図２は、第２の形態にある携帯電話端末１の斜視図である。携帯電話端末１は、第１の筐体１Ａと、第２の筐体１Ｂとを有する。第１の筐体１Ａは、第２の筐体１Ｂに対して矢印Ａの方向に相対的にスライド可能に構成されている。
【００１６】
第１の筐体１Ａは、第２の筐体１Ｂと対向する面と反対側の面にタッチパネル２を有する。第２の筐体１Ｂは、第１の筐体１Ａと対向する面にタッチパネル３を有する。タッチパネル２およびタッチパネル３は、文字、図形、画像等を表示するとともに、利用者が指やスタイラス等（以下、単に「指」という）を用いて当該タッチパネルに対して行う各種操作を検出する。タッチパネル３は、第１の筐体１Ａと第２の筐体１Ｂとが重なり合う第１の形態では第１の筐体１Ａによって覆い隠され、第１の筐体１Ａが矢印Ａの方向にスライドした第２の形態では外部に露出する。
【００１７】
第１の形態は、利用者が携帯電話端末１を持ち運ぶのに適した形態であり、この形態でも利用者は、タッチパネル２に表示される情報を参照したり、タッチパネル２を指で操作して情報を入力したりすることができる。第２の形態は、利用者が携帯電話端末１を利用するのに適した形態であり、利用者は、タッチパネル２とタッチパネル３とを併用して、より多くの情報を参照することができる。
【００１８】
なお、以下の説明では、常時外部に露出しているタッチパネル２を第１の表示部と呼び、第１の形態では第１の筐体１Ａによって覆い隠され第２の形態では外部に露出するタッチパネル３を第２の表示部と呼ぶことがある。また、タッチパネル２およびタッチパネル３を、どちらであるかを特定することなく、単に表示部と呼ぶことがある。
【００１９】
次に、図３から図６を参照しながら、携帯電話端末１における画面の表示について説明する。図３は、第２の表示部に画面を表示する例を示す図である。図４は、第１の表示部に画面を表示する例を示す図である。図５は、第１の表示部および第２の表示部にまたがって画面を表示する例を示す図である。図６は、分割された表示領域に画面を表示する例を示す図である。なお、以下の説明では、携帯電話端末１は第２の形態にあり、タッチパネル３が外部に露出しているものとする。
【００２０】
図３に示すステップＳ１１では、タッチパネル２にはアイコン２１とアイコン２２とが配置された待受画面が表示されている。アイコン２１は、ＷＥＢブラウジング機能を起動させるために用いられるオブジェクトであり、アイコン２２は、電子メール機能を起動させるために用いられるオブジェクトである。なお、本実施形態では、携帯電話端末１が有する機能を起動させるために絵文字からなるアイコン２１等をオブジェクトとして示しているが、機能を起動させるためのメニュー項目やボタン等がオブジェクトとして表示されてもよい。
【００２１】
待受画面とは、電話の発着信を待ち受けている状態の画面、または、アプリケーションプログラムの起動を待ち受けている状態の画面である。換言すると、待受画面は、携帯電話端末１が提供する各種機能画面へ画面が変わる前の画面である。なお、待受画面は、例えば、初期画面、デスクトップ画面、ホーム画面、または、壁紙と呼ばれることもある。また、図３に示した例では、無地の画面が待受画面として表示されているが、画像データやアニメーションデータを待受画面として表示してもよい。また、待受画面の一部として、カレンダや時計のように動的に変化する部分が含まれていてもよい。
【００２２】
ここで、利用者がアイコン２２に対してタッチパネル３が存在する方向への移動を伴う操作を行ったものとする。移動を伴う操作とは、例えば、フリック操作やドラッグ操作である。フリック操作とは、指をタッチパネルに接触させた後に、何かをはじくように指を急速に移動させる操作をいう。また、ドラッグ操作とは、指をタッチパネルに接触させた後に、タッチパネルとの接触を保ったままで指を移動させる操作をいう。移動を伴う操作は、タッチパネル２によって、タッチパネル２のある位置で接触が開始され、その後、タッチパネル２との接触を保ったままで接触位置が移動する動作として検出される。
【００２３】
このように、オブジェクトに対して移動を伴う操作が行われ、オブジェクトが表示されている表示部とは異なる他の表示部が移動方向に存在する場合、携帯電話端末１は、オブジェクトに対応する機能を起動させ、その機能に対応する画面を移動方向上の表示部に表示する。図３に示す例では、アイコン２２に対して行われた操作の移動方向にタッチパネル３が存在している。このため、携帯電話端末１は、ステップＳ１２として、アイコン２２に対応する電子メール機能を起動させ、電子メール機能によって提供されるメール作成画面３１をタッチパネル３に表示している。
【００２４】
メール作成画面３１は、宛先入力欄３２と、件名入力欄３３と、本文入力欄３４と、送信ボタン３５と、破棄ボタン３６とを含む。
【００２５】
図４に示すステップＳ２１では、図３のステップＳ１１と同様に、アイコン２１とアイコン２２とが配置された待受画面がタッチパネル２に表示されている。ここで、利用者がアイコン２２に対してタッチパネル３が存在しない方向への移動を伴う操作を行ったものとする。
【００２６】
このように、オブジェクトに対して移動を伴う操作が行われ、オブジェクトが表示されている表示部とは異なる表示部が移動方向に存在しない場合、携帯電話端末１は、オブジェクトに対応する機能を起動させ、その機能に対応する画面を、オブジェクトを表示中の表示部に表示する。図４に示す例では、アイコン２２に対して行われた操作の移動方向にタッチパネル２以外の表示部が存在しない。このため、携帯電話端末１は、ステップＳ２２として、アイコン２２に対応する電子メール機能を起動させ、電子メール機能によって提供されるメール作成画面３１をタッチパネル２に表示している。
【００２７】
図５に示すステップＳ３１では、図３のステップＳ１１と同様に、アイコン２１とアイコン２２とが配置された待受画面がタッチパネル２に表示されている。ここで、利用者がアイコン２２に対して複数の方向への移動を伴う操作を行ったものとする。複数の方向への移動を伴う操作とは、例えば、ピンチ操作である。ピンチ操作とは、複数の指をタッチパネルに接触させた後に、タッチパネルとの接触を保ったままで指を移動させて各指の接触位置間の距離を変化させる操作をいう。
【００２８】
このように、オブジェクトに対して複数の方向への移動を伴う操作が行われた場合、携帯電話端末１は、オブジェクトに対応する機能を起動させ、その機能に対応する画面を、複数の表示部にまたがって表示する。図５に示す例では、アイコン２２に対してピンチ操作が行われている。このため、携帯電話端末１は、ステップＳ３２として、アイコン２２に対応する電子メール機能を起動させ、電子メール機能によって提供されるメール作成画面３１をタッチパネル２およびタッチパネル３にまたがって表示している。
【００２９】
携帯電話端末１は、表示部を複数の表示領域に分割し、分割された表示領域毎に画面を表示することができる。図６に示すステップＳ４１では、図３のステップＳ１１と同様に、アイコン２１とアイコン２２とが配置された待受画面がタッチパネル２に表示されている。また、タッチパネル３は、表示領域３８と、表示領域３９とに分割されている。表示領域３８および表示領域３９の境界は、タッチパネル２およびタッチパネル３の境界線に対して垂直に設けられている。
【００３０】
ここで、利用者がアイコン２２に対してタッチパネル３が存在する方向への移動を伴う操作を行ったものとする。
【００３１】
このように、オブジェクトに対して移動を伴う操作が行われ、移動方向に存在する表示部が複数の表示領域に分割されている場合、携帯電話端末１は、オブジェクトに対応する機能を起動させ、その機能に対応する画面を移動方向に存在する表示領域に表示する。ここで、移動方向上に複数の表示領域が存在する場合、移動方向上に存在する表示領域毎に表示領域の中心（または重心）と、移動方向に延伸した直線との距離を算出し、距離が最も短い表示領域を画面の表示先とすることが好ましい。また、中心と移動方向に延伸した直線との距離が所定の閾値よりも短い表示領域が複数存在する場合には、操作が行われたオブジェクトに最も近い表示領域を画面の表示先とすることが好ましい。
【００３２】
図６に示す例では、操作の移動方向に表示領域３８と表示領域３９とに分割されたタッチパネル３が存在し、表示領域３８の中心よりも、表示領域３９の中心の方が、アイコン２２から指の移動方向に延伸した直線との距離が短い。このため、携帯電話端末１は、ステップＳ４２として、アイコン２２に対応する電子メール機能を起動させ、電子メール機能によって提供されるメール作成画面３１を表示領域３９に表示している。
【００３３】
以上、説明してきたように、携帯電話端末１は、オブジェクトに対して移動を伴う操作が行われた場合に、移動方向に応じて、オブジェクトに対応する機能が提供する画面を表示する表示部を切り替える。このため、利用者は、簡単な操作によって、複数の表示部のうち任意の表示部に所望の画面を表示させることができる。
【００３４】
次に、図７を参照しながら、携帯電話端末１の機能的な構成について説明する。図７は、携帯電話端末１の機能的な構成を示すブロック図である。図７に示すように携帯電話端末１は、タッチパネル２と、タッチパネル３と、姿勢検出部４と、電源部５と、通信部６と、スピーカ７と、マイク８と、記憶部９と、主制御部１０と、ＲＡＭ（Random  Access  Memory）１１とを有する。なお、タッチパネル２が第１の筐体１Ａに設けられ、タッチパネル３が第２の筐体１Ｂに設けられることを除いて、各部位は、第１の筐体１Ａと第２の筐体１Ｂのいずれに設けられてもよい。
【００３５】
タッチパネル２は、表示部２Ｂと、表示部２Ｂに重畳されたタッチセンサ２Ａとを有する。タッチパネル３は、表示部３Ｂと、表示部３Ｂに重畳されたタッチセンサ３Ａとを有する。タッチセンサ２Ａおよびタッチセンサ３Ａは、指を用いて表面に対して行われた各種操作を、操作が行われた位置とともに検出する。タッチセンサ２Ａおよびタッチセンサ３Ａによって検出される操作には、タップ操作、フリック操作、ドラッグ操作等が含まれる。表示部２Ｂおよび表示部３Ｂは、例えば、液晶ディスプレイ（ＬＣＤ、Liquid  Crystal  Display）や、有機ＥＬ（Organic  Electro−Luminescence）パネルなどで構成され、文字、図形、画像等を表示する。
【００３６】
姿勢検出部４は、携帯電話端末１が第１の形態にあるのか、第２の形態にあるのかを検出する。姿勢検出部４は、例えば、第１の筐体１Ａと第２の筐体１Ｂとが対向する面に設けられた機械的なスイッチによって携帯電話端末１の姿勢を検出する。
【００３７】
電源部５は、蓄電池または外部電源から得られる電力を、主制御部１０を含む携帯電話端末１の各機能部へ供給する。通信部６は、基地局によって割り当てられるチャネルを介し、基地局との間でＣＤＭＡ方式などによる無線信号回線を確立し、基地局との間で電話通信及び情報通信を行う。スピーカ７は、電話通信における相手側の音声や着信音等を出力する。マイク８は、利用者等の音声を電気的な信号へ変換する。
【００３８】
記憶部９は、例えば、不揮発性メモリや磁気記憶装置であり、主制御部１０での処理に利用されるプログラムやデータを保存する。具体的には、記憶部９は、電子メール機能を実現するためのメールプログラム９Ａや、ＷＥＢブラウジング機能を実現するためのブラウザプログラム９Ｂや、上述したような画面制御を実現するための画面制御プログラム９Ｃや、表示部２Ｂおよび表示部３Ｂの寸法および位置関係に関する情報が格納された表示部データ９Ｄや、分割された表示領域に関する情報が格納された表示領域データ９Ｅを記憶する。記憶部９には、その他に、携帯電話端末１の基本的な機能を実現するオペレーティングシステムプログラムや、氏名、電話番号、メールアドレス等が登録されたアドレス帳データ等の他のプログラムやデータも記憶される。
【００３９】
ここで、表示部データ９Ｄおよび表示領域データ９Ｅについて、図面を参照しながら説明する。図８は、表示部データ９Ｄの一例を示す図である。図９は、表示領域データ９Ｅの一例を示す図である。
【００４０】
図８に示すように、表示部データ９Ｄは、ＩＤ、左上座標、幅、高さ、領域分割といった項目を有し、表示部ごとにデータが格納される。ＩＤの項目には、表示部の識別番号が格納される。例えば、「１」は、表示部２Ｂの識別番号であり、「２」は、表示部３Ｂの識別番号である。左上座標の項目には、各表示部が同一の座標平面上にあるものとして、表示部の左上の座標が格納される。幅の項目には、表示部の幅が格納され、高さの項目には、表示部の高さが格納される。なお、この例での、座標および寸法の単位は画素（ピクセル）である。領域分割の項目には、表示部が複数の領域に分割されているかを示す値が格納される。例えば、「Ｙｅｓ」は、表示部が複数の領域に分割されていることを示し、「Ｎｏ」は、表示部が複数の領域に分割されていないことを示す。
【００４１】
図９に示すように、表示領域データ９Ｅは、ＩＤ、サブＩＤ、左上座標、幅、高さといった項目を有し、分割された表示領域ごとにデータが格納される。ＩＤの項目には、表示領域が設けられている表示部の識別番号が格納される。サブＩＤの項目には、表示領域の識別番号が格納される。表示部データ９Ｄと同一の座標平面における表示領域の左上の座標が格納される。幅の項目には、表示領域の幅が格納され、高さの項目には、表示領域の高さが格納される。
【００４２】
なお、表示部データ９Ｄの領域分割の項目の値および表示領域データ９Ｅに格納されるデータは、利用者の設定等に応じて、主制御部１０によって適宜変更される。また、表示部２Ｂおよび表示部３Ｂのいずれも領域分割されていない場合、表示領域データ９Ｅは空となる。
【００４３】
主制御部１０は、例えば、ＣＰＵ（Central  Processing  Unit）であり、携帯電話端末１の動作を統括的に制御する。具体的には、主制御部１０は、記憶部９に記憶されているデータを必要に応じて参照しつつ、記憶部９に記憶されているプログラムを実行して、タッチパネル２、通信部６等を制御することによって各種処理を実行する。主制御部１０は、記憶部９に記憶されているプログラムや、処理を実行することによって取得／生成／加工されたデータを、一時的な記憶領域を提供するＲＡＭ１１に必要に応じて展開する。なお、主制御部１０が実行するプログラムや参照するデータは、通信部６による無線通信でサーバ装置からダウンロードすることとしてもよい。
【００４４】
例えば、主制御部１０は、メールプログラム９Ａを実行することによって、電子メール機能を実現する。また、主制御部１０は、画面制御プログラム９Ｃを実行することによって、上述したように利用者に指定された表示部に画面を表示する機能を実現する。
【００４５】
次に、図１０を参照しながら、画面制御プログラム９Ｃに基づいて主制御部１０が実行する処理手順について説明する。なお、図１０に示す処理手順は、携帯電話端末１が第２の形態にあるときに、実行可能な機能に対応するアイコン等のオブジェクトに対する接触がタッチパネル２またはタッチパネル３によって検出されるたびに実行される。
【００４６】
図１０は、実行可能な機能に対応するアイコンに対する接触が検出された場合の主制御部１０の動作を示すフロー図である。図１０に示すように、ステップＳ１０１として、アイコンに対する接触がタッチパネル２またはタッチパネル３によって検出されると、主制御部１０は、ステップＳ１０２として、その接触が接触位置の移動を伴う接触であるかを判定する。接触位置の移動を伴う接触とは、例えば、フリック操作やドラッグ操作の実行時に検出される接触である。
【００４７】
アイコンに対する接触が、接触位置の移動を伴う接触でない場合（ステップＳ１０２，Ｎｏ）、主制御部１０は、ステップＳ１０３として、接触位置の移動を伴わない接触が検出された場合の通常の処理を実行する。ここで、接触位置の移動を伴わない接触が検出された場合の通常の処理とは、例えば、アイコンに対する接触が所定時間以上継続して検出された場合に、そのアイコンに関する説明を表示する処理である。
【００４８】
アイコンに対する接触が、接触位置の移動を伴う接触である場合（ステップＳ１０２，Ｙｅｓ）、主制御部１０は、ステップＳ１０４として、その接触が、移動方向が複数ある接触であるかを判定する。移動方向が複数ある接触とは、例えば、ピンチ操作の実行時に検出される接触である。アイコンに対する接触が、移動方向が複数ある接触である場合（ステップＳ１０４，Ｙｅｓ）、主制御部１０は、ステップＳ１０５として、接触されたアイコンに対応する機能を起動させ、その機能によって提供される画面を複数の表示部にまたがって表示させる。
【００４９】
アイコンに対する接触が、移動方向が複数ある接触でない場合（ステップＳ１０４，Ｎｏ）、主制御部１０は、ステップＳ１０６として、移動方向に、接触されたアイコンが表示されている表示部とは異なる他の表示部があるかを判定する。移動方向に他の表示部があるか否かは、例えば、接触が検出された位置と、検出された接触の移動方向とを表示部データ９Ｄと照合することによって判定される。
【００５０】
移動方向に他の表示部がない場合（ステップＳ１０６，Ｎｏ）、主制御部１０は、ステップＳ１０７として、接触されたアイコンに対応する機能を起動させ、その機能によって提供される画面を、接触されたアイコンを表示している表示部に表示させる。
【００５１】
移動方向に他の表示部がある場合（ステップＳ１０６，Ｙｅｓ）、主制御部１０は、ステップＳ１０８として、移動方向にある他の表示部が複数の表示領域に分割されているかを判定する。他の表示部が複数の表示領域に分割されているか否かは、例えば、表示部データ９Ｄを参照して判定される。
【００５２】
移動方向にある他の表示部が複数の表示領域に分割されている場合（ステップＳ１０８，Ｙｅｓ）、主制御部１０は、ステップＳ１０９として、接触されたアイコンに対応する機能を起動させ、その機能によって提供される画面を、移動方向にある表示領域に表示させる。移動方向にある表示領域は、例えば、表示領域データ９Ｅから取得したデータによって算出された各表示領域の中心と、移動方向に延伸した直線との距離に基づいて選択される。
【００５３】
移動方向にある他の表示部が複数の表示領域に分割されていない場合（ステップＳ１０８，Ｎｏ）、主制御部１０は、ステップＳ１１０として、接触されたアイコンに対応する機能を起動させ、その機能によって提供される画面を、移動方向にある他の表示部に表示させる。
【００５４】
上述してきたように、本実施形態では、オブジェクトに対して移動を伴う操作が行われた場合に、移動方向に応じて画面を表示する表示部を切り替えることとしたので、利用者は、任意の表示部に所望の画面を表示させることができる。
【００５５】
なお、上記の各実施形態で示した本発明の態様は、本発明の要旨を逸脱しない範囲で任意に変更することができる。例えば、画面制御プログラム９Ｃは、複数のモジュールに分割されていてもよいし、他のプログラムと統合されていてもよい。
【００５６】
また、上記の実施形態では、第１の筐体１Ａが第２の筐体１Ｂに対して相対的にスライドすることによって携帯電話端末１が第１の形態から第２の形態へ変化することとしたが、第１の形態から第２の形態への変化はこのようなスライド動作以外によって実現されてもよい。例えば、携帯電話端末１は、第１の筐体１Ａと第２の筐体１Ｂとを２軸回転式ヒンジで結合した折り畳み式の端末であってもよく、この場合、ヒンジの２つの軸を回転軸として第１の筐体１Ａと第２の筐体１Ｂを相対的に回転させることによって形態の変化が実現される。また、携帯電話端末１は、第１の筐体１Ａと第２の筐体１Ｂとを１軸回転式のヒンジで結合した通常の折り畳み式の端末であってもよい。
【００５７】
また、上記の実施形態では、ピンチ操作による接触が検出された場合に、複数の表示部にまたがって画面を表示することとしたが、ダブルタップ操作等の他の操作による接触が検出された場合に、複数の表示部にまたがって画面を表示することとしてもよい。ダブルタップ操作とは、アイコン等を軽くたたくように、指をタッチパネルに接触させた後にすぐ離す動作を二度繰り返して行う操作をいう。
【００５８】
また、上記の実施形態では、２つの表示部を備える電子機器の例を示したが、本発明は、３つ以上の表示部を備える電子機器にも適用することができる。なお、表示部が３つ以上ある電子機器において画面を複数の表示部にまたがって表示する場合、すべての表示部にまたがって画面を表示することとしてもよいし、予め選択された表示部にまたがって画面を表示することとしてもよい。
【００５９】
また、上記の実施形態では、オブジェクトに対して移動を伴う操作によって画面をどの表示部に表示させるかを指定することとしたが、他の方式によって、画面を表示させる表示部を指定することとしてもよい。画面を表示させる表示部を指定する他の方式の例について、図１１を参照しながら説明する。図１１は、画面を表示させる表示部を指定する他の方式の例を示す図である。
【００６０】
図１１に示すステップＳ５１では、図３のステップＳ１１と同様に、アイコン２１とアイコン２２とが配置された待受画面がタッチパネル２に表示されている。ここで、利用者がアイコン２２の表示領域内で指をタッチパネル２に接触させたのをタッチパネル２が検出したものとする。
【００６１】
この方式では、オブジェクトへの接触が検出された場合、携帯電話端末１は、オブジェクトに対応する機能が提供する画面をどの表示部に表示させるかを利用者に問い合わせる。図１１に示す例では、「画面を表示する表示部をタッチして下さい」というメッセージ２３をタッチパネル２に表示している。
【００６２】
ここで、ステップＳ５２として、タッチパネル３への接触をタッチパネル３が検出すると、携帯電話端末１は、アイコン２２に対応する電子メール機能を起動させる。そして、携帯電話端末１は、電子メール機能によって提供されるメール作成画面３１をタッチパネル３に表示する。
【産業上の利用可能性】
【００６３】
以上のように、本発明に係る電子機器、画面制御方法および画面制御プログラムは、画面を表示させる表示部を任意に選択することが必要な場合に適している。
【符号の説明】
【００６４】
１  携帯電話端末
１Ａ  第１の筐体
１Ｂ  第２の筐体
２  タッチパネル（第１の表示部）
２Ａ、３Ａ  タッチセンサ
２Ｂ、３Ｂ  表示部
３  タッチパネル（第２の表示部）
４  姿勢検出部
５  電源部
６  通信部
７  スピーカ
８  マイク
９  記憶部
９Ａ  メールプログラム
９Ｂ  ブラウザプログラム
９Ｃ  画面制御プログラム
９Ｄ  表示部データ
９Ｅ  表示領域データ
１０  主制御部
１１  ＲＡＭ
【図１】
0005628625.tif 000002
【図２】
0005628625.tif 000003
【図３】
0005628625.tif 000004
【図４】
0005628625.tif 000005
【図５】
0005628625.tif 000006
【図６】
0005628625.tif 000007
【図７】
0005628625.tif 000008
【図８】
0005628625.tif 000009
【図９】
0005628625.tif 000010
【図１０】
0005628625.tif 000011
【図１１】
0005628625.tif 000012